(57)【要約】      （修正有）【課題】臍下近傍と尾骨近傍との間の排泄物空間に排泄物を貯め、肌に密着して排泄穴を覆うように折り畳むことで、排泄物により陰部周囲を汚すことなく多量の消臭剤の使用や陰部の洗浄作業が著しく軽減でき、それを折り畳んで容易に廃棄処理するようにする。【解決手段】臀部を覆うように腰に巻き付けて固定する外側防水シートＯＳ１と、陰部及び肛門に対応する排泄穴ＨＧ１を設けた内側防水シートＩＳ１とからなり、前記外側防水シートと内側防水シートの間の排泄物空間を形成するように外側防水シート内面に内側防水シートを貼り付け、臍下近傍と尾骨近傍とで折り畳み可能にした。【選択図】図１
2017217432.tif 000002
【特許請求の範囲】
【請求項１】
臀部を覆うように腰に巻き付けて固定する外側防水シートと、陰部及び肛門に対応する排泄穴を設けた内側防水シートとからなり、前記外側防水シートと内側防水シートの間に、少なくとも臍下近傍から尾骨近傍までに排泄物空間を形成するように外側防水シート内面に内側防水シートを貼り付け、前記臍下近傍と尾骨近傍とで折り畳み可能にした介護用オムツ。
【請求項２】
前記内側防水シートは内面が肌への密着性シート、外面が防水性シートである前記請求項１記載の介護用オムツ。
【請求項３】
前記男性用内側防水シートは排泄穴に陰茎・陰嚢袋を設けた前記請求項１記載及び２いずれかに記載の介護用オムツ。
【請求項４】
前記女性用内側防水シートの排泄穴は陰部及び肛門に対応する排泄穴の横拡がりを防止する牽引糸を設けた請求項１及び２いずれかに記載の介護用オムツ。
【請求項５】
前記外側防水シート又は内側防水シートの何れに腰椎に対応する枕を設けるようにした前記請求項１乃至４いずれかに記載の介護用オムツ。
【請求項６】
前記内側防水シートは３層構造となっており、肌と密着する部分は吸水性シート、中間は防水性シート、排泄物を収納する空間部分のシートははそれらを吸収するための吸水性シートとし、外面は防水性シートとした前記請求項１乃至５いずれかに記載の介護用オムツ。
【発明の詳細な説明】
【発明の詳細な説明】
【技術分野】
【０００１】  本発明は、臍下近傍と尾骨近傍との間の排泄物空間に排泄物を貯め、肌に密着して排泄穴を覆うように折り畳むことができ、排泄物により陰部周囲を汚すことがなく多量の消臭剤の使用や陰部の洗浄作業を著しく軽減でき、折り畳んで容易に廃棄処理することができる介護用オムツに関するものである。
【従来技術】
【０００２】  例えば、特許文献１（特開平０６−２９６６３９号公報）には、「柔軟な防水フィルムと、その防水フィルム上に積層される柔軟な吸水層とを有し、さらに便の排出位置に、身体との間に空間を形成するための形状維持部材が設けられている使い捨てオムツ」が記載され、本発明のオムツおよび排便装置においては、「形状維持部材により排便位置に空間が形成される。そのため排泄された便が身体に付着することがなく、大便と小便とが混合しない。
したがって患者の不快感がいちじるしく軽減し、介護者の負担も軽減する」旨が説明されている。
【０００３】  しかしながら、特許文献１においては、防水フィルム上に積層される柔軟な吸水層が設けられ、形状維持部材により排便位置に空間が形成されるため大便と小便とが混合しない」ものであり、本発明の如く、「内側防水シートの内面が肌へ密着性を有するため陰部及び肛門への排泄穴に対応する位置を常時確保ができるとともに、排泄物が内側防水シートの内面と肌との間に漏れ出ることなく、外面が防水性シートであるため前記排泄物空間内に溜まった汚物及び水分が肌側へ漏れ出ることがない」介護用オムツである。また、「排便と尿とを一緒に排泄物空間に貯め、前記臍下近傍と尾骨近傍とで排泄穴を覆うように三つ折りに畳むことができる旨の記載がない。
【０００４】  また、特許文献２（特開２０１１−２２９８２０号公報）には、要介護者の腰部付近に巻き付ける巻付帯から設けた延出布に、巻付帯から所定距離を存して開口部を設けると共に、その開口部に要介護者の排泄物を受容する排泄物受容体を着脱可能に設ける物に於いて、排泄物受容体を排泄物受容口側に大便を受容すると共に、小便を流通する大便受容部を設け、大便受容部から流通する小便を受容する吸水性のある小便受容部を大便受容部に連続して設けたことを特徴とする介護用おむつと記載され、「寝たきり病人、老人等の要介護者の排便時の介助を極めて簡易に、しかも要介護者の不快感を解消することができる介護用おむつを提供する」旨説明されている。
【０００５】  しかしながら、特許文献２は、「巻付帯から所定距離を存して開口部を設けると共に、その開口部に要介護者の排泄物を受容する排泄物受容体を着脱可能に設けている」点、「排泄物受容体を排泄物受容口側に大便を受容すると共に小便を流通する大便受容部を設ける」点、「大便受容部から流通する小便を受容する吸水性のある小便受容部を大便受容部に連続して設けた」点が本発明と異なる。したがって、特許文献２には、本発明の「内側防水シートの内面が肌への密着性を有するため陰部及び肛門への排泄穴に対応する位置を常時確保できると共に、排泄物は内側防水シートの内面と肌との間に漏れ出ることがなく、外面が防水性シートであるため、前記排泄物空間内に溜まった汚物及び水分が肌側へ漏れ出ることがない」点、「排泄物空間に一定の排泄物を貯め、前記臍下近傍と尾骨近傍とで排泄穴を覆うように折り畳むことができ、三つ折りに畳んで容易に廃棄処理することができる」点は示唆されていない。
【０００６】  また、特許文献３（特開２０１１−２２９８２０号公報）には、「臍下付近を覆う腹当て部材、臀部を覆う背当て部材、また使用者の排泄物を収容する収容構造体及び、前記腹当て部材や前記背当て部材が取り付けられ、そして前記収容構造体が取り付けられる開口部を有し、人体の股間及び股間の周辺に密着して前記収容構造体からの前記排泄物の漏れを防止する漏れ防止部材を含み、前記股間及び股間の周辺を覆うように構成された股間被覆部材が設けられた介護用オムツであって、前記腹当て部材及び背当て部材を、股間被覆部材に着脱自在に装着可能な着脱手段を備えていることを特徴とする介護用オムツ」が記載され、「本発明は、腹当て部及び背当て部と漏れ防止部材とを容易に脱着可能であるように構成された介護用オムツを提供する」旨説明されている。
【０００７】  しかしながら、特許文献３は寝たきり患者に使用するものであって「前記腹当て部材及び背当て部材を、股間被覆部材に着脱自在に装着可能な着脱手段を備えている」点が全く異なる。したがって、「排泄物空間に一定の排泄物を貯め、前記臍下近傍と尾骨近傍とで排泄穴を覆うように三つ折りに畳んで容易に廃棄処理することができる」点、「内側防水シートの内面が肌への密着性を有するため陰部及び肛門への排泄穴に対応する位置を常時確保ができる」点が示唆されていない。
【０００８】  また、特許文献４（特開２０１２−２２８３２０号公報）には、「少なくとも仙骨先端の尾骨を避けて臀部と対向する位置において、仰臥位又は座位状態の部分を床側から押し上げる臀部対応弾性部材と、前記臀部対応弾性部材よりも人体側に配置され、仙骨及び臀部に対応する位置において生体を押圧から保護する保護手段が設けられている仙骨保護用弾性部材と、前記仙骨保護用弾性部材と前記臀部対応弾性部材とを貫いて形成された排便筒部と、  前記臀部対応弾性部材、前記仙骨保護用弾性部材及び前記排便筒部の露出面を被覆し、装着状態において背中側から尻部を介して下腹部を覆うカバーを具備し、前記臀部対応弾性部材のカバー上に排便に対応するオムツが配置されることを特徴とする介護用オムツカバー」が記載され、「大臀筋が減少して仙骨が臀部よりも外側へ突出した状態となった人に対して、オムツをさせた場合に、便が背中側へ回り込むことなく所定位置に留まらせる」旨説明されている。
【０００９】  しかしながら、特許文献４の「臀部対応弾性部材と、前記臀部対応弾性部材よりも人体側に配置され、仙骨及び臀部に対応する位置において生体を押圧から保護する保護手段が設けられている仙骨保護用弾性部材」、「仙骨保護用弾性部材と前記臀部対応弾性部材とを貫いて形成された排便筒部」及び「仙骨保護用弾性部材と前記臀部対応弾性部材とを貫いて形成された排便筒部」点等は本発明と全く異なる。したがって、特許文献４には本発明の「排泄物空間に一定の排泄物を貯め、前記臍下近傍と尾骨近傍とで排泄穴を覆うように三つ折りに畳んで容易に廃棄処理することができる」点、「内側防水シートの内面が肌への密着性を有するため陰部及び肛門への排泄穴に対応する位置を常時確保ができる」点が全く示唆されていない。
【先行技術文献】
【００１０】
【特許文献１】  特開平０６−２９６６３９号公報
【特許文献２】  特開２０１０−１１９７４９号公報
【特許文献３】  特開２０１１−２２９８２０号公報（特許第５７３９６１号公報）
【特許文献４】  特開２０１２−２２８３２０号公報
【発明が解決しようとする課題】
【００１１】  この発明では、排泄物空間に一定の排泄物を貯め、臍下近傍と尾骨近傍とで排泄穴を覆うように折り畳めるようにすることで、大量の排泄物で陰部周囲を汚すことがなく多量の消臭剤の使用や陰部の洗浄作業が著しく軽減し、簡単に折り畳んで容易に廃棄処理することができると共に、排泄穴を覆うように折り畳むことで防臭効果が高く介護者は悪臭に悩まされることなく、要介護者は我が悪臭に恥らうことのない介護用オムツを提供することを課題とする。
【課題を解決する手段】
【００１２】  請求項１の発明は、臀部を覆うように腰に巻き付けて固定する外側防水消臭シートと、陰部及び肛門に対応する排泄穴を設けた内側防水シートとからなり、前記外側防水シートと内側防水シートの間に、少なくとも臍下近傍から尾骨近傍までに排泄物空間を形成し、外側防水シート内面に内側防水シートを貼り付け、前記臍下近傍と尾骨近傍とを排泄穴を覆うように折り畳み可能にした介護用オムツを提供するものである。
【００１３】  この発明においては、排泄物空間に一定の排泄物を貯め、前記臍下近傍と尾骨近傍とで排泄穴を覆うように折り畳むことができ、大量の排泄物により陰部周囲を汚すことがなくなるため、多量の消臭剤の使用や陰部の洗浄作業が著しく軽減され、また三つ折りに畳んで容易に廃棄処理することができる。また、排泄穴を覆うように折り畳めるので防臭効果が高くなり介護者は悪臭に悩まされることなく、要介護者は我が悪臭に恥らうことがない。
【００１４】  請求項２の発明は、前記内側防水シートは内面が肌への密着性シート、外面が防水性シートである前記請求項１記載の介護用オムツを提供するものである。
【００１５】  この発明においては、内側防水シートの内面が肌へ密着性を有するため陰部及び肛門への排泄穴に対応する位置を常時確保ができると共に、排泄物を内側防水シートの内面と肌との間に漏れ出ることがない。また、外面が防水性シートであるため前記排泄物空間内に溜まった汚物や水分が肌側へ漏れ出ることがない。したがって、内側防水シートから汚物が一切漏れ出ないため防臭効果が極めて高くなり介護者は悪臭に悩まされることなく、要介護者は我が悪臭に恥じらうことがない。
【００１６】  請求項３の発明は、前記男性用内側防水シートは排泄穴に陰茎・陰嚢袋を設けた前記請求項１記載及び２いずれかに記載の介護用オムツを提供するものである。
【００１７】  この発明においては、男性の陰茎・陰嚢を覆う袋を設けたので、排泄物が陰茎・陰嚢に一切付着することなく陰部・陰嚢の洗浄作業は殆んど必要がなくなると共に、内側防水シートからは汚物が一切漏れ出ない構造のため、防臭効果が極めて高くなり介護者は悪臭に悩まされることなく、要介護者は我が悪臭に恥じることがない。
【００１８】  請求項４の発明は、前記女性用内側防水シートの排泄穴は陰部及び肛門に対応する排泄穴の横拡がりを防止する牽引糸を設けた請求項１及び２のいずれかに記載の介護用オムツを提供するものである。
【００１９】  この発明においては、女性用内側防水シートは陰部と肛門が同じ排泄穴であるため、穴が縦長となり横に広がり易く、該シートと肌との密着性が悪くなり排泄物が漏れ出やすい。したがって、この横拡がりによる密着不良を防止するため牽引糸を設けたことによりこれらの問題を解消することができる。
【００２０】  請求項５の発明は、前記外側防水シート又は内側防水シートの何れに腰椎に対応する枕を設けるようにした前記請求項１乃至４いずれかに記載の介護用オムツを提供するものである。
【００２１】  この発明においては、腰椎に対応する枕を設けることにより常時猫背を解消でき、陰部及び肛門の位置をへそ下近傍から尾▲てい▼骨近傍まで排泄物空間中央を確保することができる。したがって、排泄物空間内の排泄物がへそ下側若しくは尾▲てい▼骨側いずれかに片寄ることによるシートの破れ及び外側防水シートと内側防水シーとの張り合わせ部分の剥がれを防止することができる。同時に介護者の姿勢を良くして腰椎を確保することができる。
【００２２】  請求項６の発明は、前記内側防水シートは３層構造となっており、肌と密着する部分は吸水性シート、中間は防水性シート、排泄物を収納する空間部分のシートはそれらを吸収するための吸水性シートとし、外面は防水性シートとした前記請求項１乃至５いずれかに記載の介護用オムツ。
【００２３】  この発明においては、内側防水シートの内面を３層とすることにより肌へ密着性が保たれ、陰部及び肛門への排泄穴に対応する位置を常時確保ができるとともに、排泄物は内側防水シートの内面と肌との間に漏れ出ることがない。また、外面が防水性シートであるため前記排泄物空間内に溜まった排泄物が外側へ漏れ出ることがない。したがって、内側防水シートから排泄物が一切漏れ出ないため防臭効果が極めて高くなり介護者は悪臭に悩まされることなく、要介護者は我が悪臭に恥じらうことがない。
【発明を実施するための形態】
【００２４】  以下に本発明の一実施形態を図面に基づき説明する。
図１は本発明の男性用介護オムツの平面図、図２は本発明の女性用介護オムツの平面図、図３は図１の男性用介護オムツを男性に装着した場合の断面視図、図４は図２の女性用介護オムツを女性に装着した場合の断面視図、図５は図１のＩ−Ｉ線断面視図、図６は図２のＩＩ−ＩＩ線断面視図、図７は図５及び図６のＩＩＩ−ＩＩＩ線断面視図、図８は図５の男性用介護オムツを尾骨近傍で折畳んだ状態を示す説明図、図９は図６の女性用介護オムツを尾骨近傍で折畳んだ状態を示す説明図、図１０は図８の男性用介護オムツを更に臍下近傍で折畳んだ状態を示す説明図、図１１は図９の女性用介護オムツを更に臍下近傍で折畳んだ状態を示す説明図、図１２は男女の排泄穴に対応する内側防水シート端断面図、図１３は他の実施例を示す内側防水シート端断面図、図１４は図１２及び図１３の他の実施例を示す内側防水シート端断面図である。
【００２５】  図１乃至図６、図８乃至図１１に示す如く、臀部Ｂ１、Ｂ２を覆うように腰Ｈ１，Ｈ２に巻き付けて固定する外側防水シートＯＳ１、ＯＳ２と、陰部Ｇ１，Ｇ２及び肛門ａｎ１，ａｎ２に対応する排泄穴ＨＧ１、ＨＧ２、Ｈａｎ１を設けた内側防水シートＩＳ１、ＩＳ２とからなり、前記外側防水シートＯＳ１、ＯＳ２と内側防水シートＩＳ１、ＩＳ２との間に、少なくとも臍下近傍Ｎ１、Ｎ２から尾骨ＮＢ１、ＮＢ２近傍までに排泄物空間ＥＸ１、ＥＸ２を形成するように外側防水シートＯＳ１、ＯＳ２内面に内側防水シートＩＳ１、ＩＳ２を貼り付け、前記臍下近傍Ｎ１、Ｎ２と尾骨近傍ＮＢ１、ＮＢ２とで折り畳み可能にした介護用オムツＤ１、Ｄ２である。Ｍ１，Ｍ２は介護用オムツＤ１、Ｄ２を腰Ｈ１，Ｈ２に巻き付けて固定するマジックテープである。
【００２６】  したがって、排泄物空間ＥＸ１、ＥＸ２に一定の排泄物Ｆ１、Ｆ２を貯め、前記臍下近傍Ｎ１、Ｎ２と尾骨近傍ＮＢ１、ＮＢ２とで排泄穴ＨＧ１、ＨＧ２、Ｈａｎ１、Ｈａｎ２を覆うように実線Ｌ１−１、Ｌ１−２、Ｌ２−１、Ｌ２−２で折り畳むことができるので、大量の排泄物Ｆ１、Ｆ２により陰部Ｇ１，Ｇ２及び肛門ａｎ１，ａｎ２周辺を汚すことがなく多量の消臭剤の使用や陰部の洗浄作業が著しく軽減される。また、図１０、図１１に示す如く、三つ折りに畳んで簡単に廃棄処理することができる。
【００２７】  図７は、図５及び図６に示す内側防水シートＩＳ１、ＩＳ２のＩ−Ｉ線断面図であり、該シートＩＳ１、ＩＳ２は肌に接触する側の内側面はそれぞれ密着性を有するシートＣＰが使用され、前記排泄物空間ＥＸ１、ＥＸ２に接する外側面は防水性を有するシートＷＰを使用している。
【００２８】  したがって、内側防水シートＩＳ１、ＩＳ２の内面が肌へ密着して陰部Ｇ１，Ｇ２及び肛門ａｎ１，ａｎ２への排泄穴ＨＧ１、ＨＧ２、Ｈａｎ１、Ｈａｎ２に対応する位置を常時確保することにより、排泄物が内側防水シートＩＳ１、ＩＳ２の内面と肌との間に漏れ出ることはない。また、内側防水シートＩＳ１、ＩＳ２の外面が防水性シートであるため前記排泄物空間内ＥＸ１、ＥＸ２に溜まった汚物の水分が肌側へ漏れ出すことはない。
【００２９】  図５に示す如く、前記男性用介護用オムツＤ１は内側防水シートＩＳ１の排泄穴ＨＧ１に陰茎袋Ｐと陰嚢袋Ｓを設けている。したがって、排泄物が陰茎・陰嚢に一切付着することなく陰部・陰嚢の洗浄作業は殆んど必要なくなり、内側防水シートＩＳ１から汚物が一切漏れ出ない。
【００３０】  図６に示す如く、前記女性用介護用オムツＤ２は内側防水シートＩＳ２の排泄穴ＨＧ２は陰部Ｇに対応する排泄穴ＨＧ２の横拡がりを防止する弾性牽引糸Ｙを設けている。したがって、女性用内側防水シートＩＳ２は陰部と肛門が同じ排泄穴ＨＧ２であるため、穴が縦長となり横に広がり易く、当該シートと肌との密着性が悪くなり排泄物が漏れ出やすいため、この横拡がりによる密着不良を防止するようにしている。
【００３１】  図１乃至図４に示す如く、前記内側防水シートＩＳ１、ＩＳ２（又は外側防水シートＯＳ１、ＯＳ２）に腰椎部Ｌ１、Ｌ２に対応する枕Ｐｉ１、Ｐｉ２を設けるようにしている。したがって、常時猫背を解消でき、陰部及び肛門の位置を臍下近傍Ｎ１、Ｎ２から尾骨近傍ＮＢ１、ＮＢ２までの排泄物空間ＥＸ１、ＥＸ２を中央に確保することができ、排泄物空間ＥＸ１、ＥＸ２内の排泄物が臍下側若しくは尾骨側いずれかに片寄ることによるシートの破れ及び外側防水シートＯＳ１、ＯＳ２と内側防水シーＩＳ１、ＩＳ２周囲の張り合わせ部分の剥がれを防止することができる。
【００３２】  図１２は図５，６に示す男女肛門ａｎ１、ａｎ２の排泄穴Ｈａｎ１、ＨＧ２に対応する内側防水シートＩＳ１，ＩＳ２の端部Ａ、Ａの断面図であり、内側防水シートＩＳ１，ＩＳ２は排泄穴ａｎ１、ＨＧ２側端が数ミリ厚い端部ＣＨ，に形成し外側に向かって徐々に薄くＴＨ形成しするようにしている。そして、この厚い端部ＣＨ，により肌への密着性を高めて排泄物Ｆ１，Ｆ２の漏れを極力防止するようにしている。
【００３３】  図１３は前図の他の実施例を示すシート端断面図であり、内側防水シートＩＳ１、ＩＳ２の外側に吸収性シートＡＢ１を設けて汗及び少量の漏れ出た排泄物を吸収させることもできる。
【００３４】  図１４は図１２及び図１３の他の実施例を示すシート端断面図であり、内側防水シートＩＳ１、ＩＳ２を中心にして、両サイドに吸収性シートＡＢ１、ＡＢ２を設けている。  吸収性シートＡＢ１により図１３と同様汗及び少量の漏れ出た排泄物を吸収する一方、ＡＢ２により排泄物を収納する空間部分のシートはそれらを吸収するための吸水性シートとすることができる。
【発明の効果】
【００３５】  この発明においては、排泄物空間に一定の排泄物を貯め、前記臍下近傍と尾骨近傍とで排泄穴を覆うように折り畳むことにより、大量の排泄物で陰部周囲を汚すことがないため、多量の消臭剤の使用や陰部の洗浄作業が著しく軽減すると同時に、三つ折りに畳んで容易に廃棄処理することができる。また、排泄穴を覆うように折り畳めるので防臭効果が高くなり介護者は悪臭に悩まされることなく要介護者は我が悪臭に恥じることがない。
【００３６】  また、この発明においては、内側防水シートの内面が肌へ密着性を有するため陰部及び肛門への排泄穴に対応する位置を常時確保すると共に、排泄物は内側防水シートの内面と肌との間に漏れ出ることはない。また、外面が防水性シートであるため前記排泄物空間内に溜まった汚物及び水分が肌側へ漏れ出ることはない。したがって、内側防水シートから汚物は一切漏れ出ないため、防臭効果が極めて高くなり介護者は悪臭に悩まされることなく要介護者は我が悪臭に恥らうことがない。
【００３７】  また、この発明においては、男性の陰茎・陰嚢を覆う袋を設けたので、排泄物がそれらに一切付着することなくそれらの洗浄作業は殆んど必要なくなると共に、内側防水シートから汚物が一切漏れ出ないため、防臭効果が極めて高くなり介護者は悪臭に悩まされることなく要介護者は我が悪臭に恥じることがない。
【００３８】  また、この発明においては、女性用内側防水シートは陰部と肛門が同じ排泄穴であるため、穴が縦長となり横に広がり易く、当該シートと肌との密着性が悪くなり排泄物が漏れ出やすい。したがって、この横拡がりによる密着不良を防止するため牽引糸を設けたことによりこれら問題を解消することができる。
【００３９】  また、この発明においては、腰椎に対応する枕を設けることにより常時猫背を解消でき、陰部及び肛門の位置をへそ下近傍から尾▲てい▼骨近傍まで排泄物空間中央を確保することができる。したがって、排泄物空間内の排泄物がへそ下側若しくは尾▲てい▼骨側いずれかに片寄ることによるシートの破れ及び外側防水シートと内側防水シーとの張り合わせ部分の剥がれを防止することができる。同時に介護者の姿勢を良くして腰椎を確保することができる。
【００４０】  また、内側防水シートは排泄穴側端が数ミリ厚い端部に形成し外側に向かって徐々に薄く形成するようにして、この厚い端部により肌への密着性を高めて排泄物の漏れを極力防止することができる
【００４１】  また、内側防水の外側に吸収性シートを設けて汗及び少量の漏れ出た排泄物を吸収する構造とすることもできる。
【００４２】  さらに、内側防水シートを中心にして、両サイドに吸収性シートとすることにより、  吸収性シートＡＢ１により図１３と同様汗及び少量の漏れ出た排泄物を吸収する一方、ＡＢ２により、排泄物を収納する空間部分のシートはそれらを吸収するための吸水性シートとすることができる。
【図面の簡単な説明】
【００４３】
【図１】  男性用介護オムツ、
【図２】  女性用介護オムツ、
【図３】  男性用介護オムツを男性に装着した場合の断面視図、
【図４】  女性用介護オムツを女性に装着した場合の断面視図、
【図５】  図１のＩ−Ｉ線断面視図、
【図６】  図２のＩＩ−ＩＩ線断面視図、
【図７】  図５及び図６のＩＩＩ−ＩＩＩ線断面視図、
【図８】  図５の介護オムツを尾骨近傍で折畳んだ状態を示す説明図、
【図９】  図６の介護オムツを尾骨近傍で折畳んだ状態を示す説明図
【図１０】  図５の介護オムツをさらに臍下近傍で折畳んだ状態を示す説明図
【図１１】  図６の介護オムツをさらに臍下骨近傍で折畳んだ状態を示す説明図
【図１２】  図５及び６のＡ、Ａに示す男女排泄穴に対応する内側防水シート端断面
【図１３】  他の実施例を示す内側防水シート端断面図、
【図１４】  他の実施例を示す内側防水シート端断面図
【符号の説明】Ｂ１、Ｂ２                臀部
Ｈ１，Ｈ２                腰
ＯＳ１、ＯＳ２            外側防水シート
Ｇ１，Ｇ２                陰部
ａｎ１，ａｎ２            肛門
ＨＧ１、ＨＧ２、Ｈａｎ１  排泄穴
ＩＳ１、ＩＳ２            内側防水シート
Ｙ                        弾性牽引糸
Ｎ１、Ｎ２                臍下近傍
ＮＢ１、ＮＢ２            尾骨近傍
ＥＸ１、ＥＸ２            排泄物空間
Ｄ１、Ｄ２                介護用オムツ
Ｍ１，Ｍ２                マジックテープ
Ｆ１、Ｆ２                排泄物
ＣＰ                      密着性を有するシート
ＷＰ                      防水性を有するシート
Ｌ１、Ｌ２                腰椎部
Ｐｉ１、Ｐｉ２            枕
【図１】
2017217432.tif 000003
【図２】
2017217432.tif 000004
【図３】
2017217432.tif 000005
【図４】
2017217432.tif 000006
【図５】
2017217432.tif 000007
【図６】
2017217432.tif 000008
【図７】
2017217432.tif 000009
【図８】
2017217432.tif 000010
【図９】
2017217432.tif 000011
【図１０】
2017217432.tif 000012
【図１１】
2017217432.tif 000013
【図１２】
2017217432.tif 000014
【図１３】
2017217432.tif 000015
【図１４】
2017217432.tif 000016
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
臀部Ｂ１，Ｂ２を覆うように腰部Ｈ１、Ｈ２に巻き付けて固定する外側防水シートＯＳ１、ＯＳ２と、陰部Ｇ１、Ｇ２及び肛門ａｎ１、ａｎ２に対応する排泄穴ＨＧ１、ＨＧ２、Ｈａｎ１、Ｈａｎ２を設けた内側防水シートＩＳ１、ＩＳ２とからなり、前記外側防水シートＯＳ１、ＯＳ２と内側防水シートＩＳ１、ＩＳ２の間に、少なくとも臍下近傍Ｎ１、Ｎ２と尾骨近傍ＮＢ１、ＮＢ２とで排泄穴ＨＧ１、ＨＧ２、Ｈａｎ１、Ｈａｎ２を２重に覆うように実線Ｌ１−１、Ｌ１−２、Ｌ２−１、Ｌ２−２で折り畳むように構成すると共に、臍下近傍Ｎ１、Ｎ２から尾骨近傍ＮＢ１、ＮＢ２までに排泄物空間ＥＸ１、ＥＸ２を形成するように外側防水シートＯＳ１、ＯＳ２内面に内側防水シートＩＳ１、ＩＳ２を貼り付け、前記臍下近傍Ｎ１、Ｎ２と尾骨近傍ＮＢ１、ＮＢ２とで折り畳み可能にした介護用オムツ。
【請求項２】
前記内側防水シートＩＳ１、ＩＳ２の肌に接する側の面が肌への陰部Ｇ１，Ｇ２及び肛門ａｎ１，ａｎ２への排泄穴ＨＧ１、ＨＧ２、Ｈａｎ１、Ｈａｎ２に対応する位置を常時確保して排泄物が内側防水シートＩＳ１、ＩＳ２の内面と肌との間に漏れ出ることはない密着性シートＣＰとし、該内側防水シートＩＳ１、ＩＳ２の排泄物空間ＥＸ１、ＥＸ２に接する面が排泄物空間内ＥＸ１、ＥＸ２に溜まった汚物の水分が肌側へ漏れ出すことはない防水性シートＷＰとした前記請求項１記載の介護用オムツ。
水性シートＷＰとした前記請求項１記載の介護用オムツ。
【請求項３】
前記男性用の内側防水シートＩＳ１は排泄穴ＨＧ１に陰茎袋Ｐ及び陰嚢袋Ｓを設けた前記請求項１記載又は２いずれかに記載の介護用オムツ。
【請求項４】
前記女性用の内側防水シートＩＳ２の排泄穴ＨＧ２は陰部Ｇ２と肛門ａｎ２との間に排泄穴ＨＧ２の横拡がりを防止する弾性牽引糸Ｙを設けた請求項１乃至３いずれかに記載の介護用オムツ。
【請求項５】
前記外側防水シートＯＳ１、ＯＳ２又は内側防水シートＩＳ１、ＩＳ２の何れかに腰椎Ｌ１、Ｌ２に対応する腰の肌面に厚みを有して面接触し、内側防水シートＩＳ１、ＩＳ２の排泄穴Ｈａｎ１、ＨＧ２、Ｈａｎ１が陰部Ｇ１，Ｇ２及び肛門ａｎ１，ａｎ２の位置からずれないように確保するする枕Ｐｉ１、Ｐｉ２を設けるようにした前記請求項１乃至４いずれかに記載の介護用オムツ。
【請求項６】
男女肛門ａｎ１、ａｎ２の排泄穴Ｈａｎ１、ＨＧ２に対応する内側防水シートＩＳ１，ＩＳ２の側端Ａが数ミリ厚い端部ＣＨに形成し外側に向かって徐々に薄くＴＨ形成するようにした前記請求項１乃至５いずれかに記載の介護用オムツ。
【請求項７】
前記内側防水シートＩＳ１，ＩＳ２の男女肛門ａｎ１、ａｎ２の排泄穴Ｈａｎ１、ＨＧ２に対応する肌に接触する端面Ａに吸収性シートＡＢ１を設けるようにした前記請求項１乃至５いずれかに記載の介護用オムツ。
【請求項８】
前記内側防水シートＩＳ１，ＩＳ２の男女肛門ａｎ１、ａｎ２の排泄穴Ｈａｎ１、ＨＧ２に対応する肌に接触する端面Ａとそれに対応する排泄物空間ＥＸ１、ＥＸ２に接触する端面Ａに吸収性シートＡＢ１、ＡＢ２を設けるようにした前記請求項１乃至５いずれかに記載の介護用オムツ。
【手続補正２】
【補正対象書類名】明細書
【補正対象項目名】全文
【補正方法】変更
【補正の内容】
【発明の詳細な説明】
【発明の詳細な説明】
【技術分野】
【０００１】  本発明は、臍下近傍と尾骨近傍との間の排泄物空間に排泄物を貯め、肌に密着して排泄穴を覆うように折り畳むことができ、排泄物により陰部周囲を汚すで容易に廃棄処理することができる介護用オムツに関するものである。
【従来技術】
【０００２】  例えば、特許文献１（特開平０６−２９６６３９号公報）には、「柔軟な防水フィルムと、その防水フィルム上に積層される柔軟な吸水層とを有し、さらに便の排出位置に、身体との間に空間を形成するための形状維持部材が設けられている使い捨てオムツ」が記載され、本発明のオムツ及び排便装置においては、「形状維持部材により排便位置に空間が形成される。そのため排泄された便が身体に付着することがなく、大便と小便とが混合しない。
したがって患者の不快感がいちじるしく軽減し、介護者の負担も軽減する」旨が説明されている。
【０００３】  しかしながら、特許文献１においては、防水フィルム上に積層される柔軟な吸水層が設けられ、形状維持部材により排便位置に空間が形成されるため大便と小便とが混合しない」ものであり、本発明の如く、「内側防水シートの内面が肌へ密着性を有するため陰部及び肛門への排泄穴に対応する位置を常時確保ができるとともに、排泄物が内側防水シートの内面と肌との間に漏れ出ることなく、外面が防水性シートであるため前記排泄物空間内に溜まった汚物及び水分が肌側へ漏れ出ることがない」介護用オムツである。また、「排便と尿とを一緒に排泄物空間に貯め、前記臍下近傍と尾骨近傍とで排泄穴を覆うように三つ折りに畳むことができる」旨の記載がない。
【０００４】  また、特許文献２（特開２０１１−２２９８２０号公報）には、要介護者の腰部付近に巻き付ける巻付帯から設けた延出布に、巻付帯から所定距離を存して開口部を設けると共に、その開口部に要介護者の排泄物を受容する排泄物受容体を着脱可能に設ける物に於いて、排泄物受容体を排泄物受容口側に大便を受容すると共に、小便を流通する大便受容部を設け、大便受容部から流通する小便を受容する吸水性のある小便受容部を大便受容部に連続して設けたことを特徴とする介護用おむつと記載され、「寝たきり病人、老人等の要介護者の排便時の介助を極めて簡易に、しかも要介護者の不快感を解消することができる介護用おむつを提供する」旨説明されている。
【０００５】  しかしながら、特許文献２は、「巻付帯から所定距離を存して開口部を設けると共に、その開口部に要介護者の排泄物を受容する排泄物受容体を着脱可能に設けている」点、「排泄物受容体を排泄物受容口側に大便を受容すると共に小便を流通する大便受容部を設ける」点、「大便受容部から流通する小便を受容する吸水性のある小便受容部を大便受容部に連続して設けた」点が本発明と異なる。
したがって、特許文献２には、本発明の「内側防水シートの内面が肌への密着性を有するため陰部及び肛門への排泄穴に対応する位置を常時確保できると共に、排泄物は内側防水シートの内面と肌との間に漏れ出ることがなく、外面が防水性シートであるため、前記排泄物空間内に溜まった汚物及び水分が肌側へ漏れ出ることがない」点、「排泄物空間に一定の排泄物を貯め、前記臍下近傍と尾骨近傍とで排泄穴を覆うように折り畳むことができ、三つ折りに畳んで容易に廃棄処理することができる」点は示唆されていない。
【０００６】  また、特許文献３（特開２０１１−２２９８２０号公報）には、「臍下付近を覆う腹当て部材、臀部を覆う背当て部材、また使用者の排泄物を収容する収容構造体及び、前記腹当て部材や前記背当て部材が取り付けられ、そして前記収容構造体が取り付けられる開口部を有し、人体の股間及び股間の周辺に密着して前記収容構造体からの前記排泄物の漏れを防止する漏れ防止部材を含み、前記股間及び股間の周辺を覆うように構成された股間被覆部材が設けられた介護用オムツであって、前記腹当て部材及び背当て部材を、股間被覆部材に着脱自在に装着可能な着脱手段を備えていることを特徴とする介護用オムツ」が記載され、本発明は、「腹当て部及び背当て部と漏れ防止部材とを容易に脱着可能であるように構成された介護用オムツを提供する」旨説明されている。
【０００７】  しかしながら、特許文献３は寝たきり患者に使用するものであって「前記腹当て部材及び背当て部材を、股間被覆部材に着脱自在に装着可能な着脱手段を備えている」点が全く異なる。したがって、「排泄物空間に一定の排泄物を貯め、前記臍下近傍と尾骨近傍とで排泄穴を覆うように三つ折りに畳んで容易に廃棄処理することができる」点、「内側防水シートの内面が肌への密着性を有するため陰部及び肛門への排泄穴に対応する位置を常時確保ができる」点が示唆されていない。
【０００８】  また、特許文献４（特開２０１２−２２８３２０号公報）には、「少なくとも仙骨先端の尾骨を避けて臀部と対向する位置において、仰臥位又は座位状態の部分を床側から押し上げる臀部対応弾性部材と、前記臀部対応弾性部材よりも人体側に配置され、仙骨及び臀部に対応する位置において生体を押圧から保護する保護手段が設けられている仙骨保護用弾性部材と、前記仙骨保護用弾性部材と前記臀部対応弾性部材とを貫いて形成された排便筒部と、前記臀部対応弾性部材、前記仙骨保護用弾性部材及び前記排便筒部の露出面を被覆し、装着状態において背中側から尻部を介して下腹部を覆うカバーを具備し、前記臀部対応弾性部材のカバー上に排便に対応するオムツが配置されることを特徴とする介護用オムツカバー」が記載され、「大臀筋が減少して仙骨が臀部よりも外側へ突出した状態となった人に対して、オムツをさせた場合に、便が背中側へ回り込むことなく所定位置に留まらせる」旨説明されている。
【０００９】  しかしながら、特許文献４の「臀部対応弾性部材と、前記臀部対応弾性部材よりも人体側に配置され、仙骨及び臀部に対応する位置において生体を押圧から保護する保護手段が設けられている仙骨保護用弾性部材」、「仙骨保護用弾性部材と前記臀部対応弾性部材とを貫いて形成された排便筒部」及び「仙骨保護用弾性部材と前記臀部対応弾性部材とを貫いて形成された排便筒部」点等は本発明と全く異なる。したがって、特許文献４には本発明の「排泄物空間に一定の排泄物を貯め、前記臍下近傍と尾骨近傍とで排泄穴を覆うように三つ折りに畳んで容易に廃棄処理することができる」点、「内側防水シートの内面が肌への密着性を有するため陰部及び肛門への排泄穴に対応する位置を常時確保ができる」点が全く示唆されていない。
【先行特許文献】
【００１０】
【特許文献１】特開平０６−２９６６３９号公報
【特許文献２】特開２０１０−１１９７４９号公報
【特許文献３】特開２０１１−２２９８２０号公報（特許第５７３９６１号公報）
【特許文献４】特開２０１２−２２８３２０号公報
【発明が解決しようとする課題】
【００１１】  この発明では、排泄物空間に一定の排泄物を貯め、臍下近傍と尾骨近傍とで排泄穴を二重に覆うように折り畳めるようにすることで、大量の排泄物で陰部周囲を汚すことがなく多量の消臭剤の使用や陰部の洗浄作業を著しく軽減し、簡単に折り畳んで容易に廃棄処理することができると共に、排泄穴を二重に覆うように折り畳むことで防臭効果が高く介護者は悪臭に悩まされることなく、要介護者は我が悪臭に恥らうことのない介護用オムツを提供することを課題とする。
【課題を解決する手段】
【００１２】請求項１の発明は、臀部Ｂ１，Ｂ２を覆うように腰部Ｈ１、Ｈ２に巻き付けて固定する外側防水シートＯＳ１、ＯＳ２と、陰部Ｇ１、Ｇ２及び肛門ａｎ１、ａｎ２に対応する排泄穴ＨＧ１、ＨＧ２、Ｈａｎ１、Ｈａｎ２を設けた内側防水シートＩＳ１、ＩＳ２とからなり、前記外側防水シートＯＳ１、ＯＳ２と内側防水シートＩＳ１、ＩＳ２の間に、少なくとも臍下近傍Ｎ１、Ｎ２と尾骨近傍ＮＢ１、ＮＢ２とで排泄穴ＨＧ１、ＨＧ２、Ｈａｎ１、Ｈａｎ２を２重に覆うように実線Ｌ１−１、Ｌ１−２、Ｌ２−１、Ｌ２−２で折り畳むように構成すると共に、臍下近傍Ｌ１−１、Ｌ２−１から尾骨近傍Ｌ１−２、Ｌ２−２までに排泄物空間ＥＸ１、ＥＸ２を形成するように外側防水シートＯＳ１、ＯＳ２内面に内側防水シートＩＳ１、ＩＳ２を貼り付け、前記臍下近傍Ｎ１、Ｎ２と尾骨近傍ＮＢ１、ＮＢ２とで折り畳み可能にした介護用オムツを提供するものである。
【００１３】この発明においては、排泄物空間に一定の排泄物を貯め、前記臍下近傍と尾骨近傍とで排泄穴を二重に覆うように折り畳むことができ、大量の排泄物により陰部周囲を汚すことがなくなるため、多量の消臭剤の使用や陰部の洗浄作業が著しく軽減され、また、三つに畳んで容易に廃棄処理することができる。及び排泄穴を二重に覆うように折り畳めるので防臭効果が高くなり介護者は悪臭に悩まされることなく、要介護者は我が悪臭に恥らうことがない。
【００１４】請求項２の発明は、前記内側防水シートＩＳ１、ＩＳ２の肌に接する側の面が肌への陰部Ｇ１，Ｇ２及び肛門ａｎ１，ａｎ２への排泄穴ＨＧ１、ＨＧ２、Ｈａｎ１、Ｈａｎ２に対応する位置を常時確保して排泄物が内側防水シートＩＳ１、ＩＳ２の内面と肌との間に漏れ出ることはない密着性シートＣＰとし、該内側防水シートＩＳ１、ＩＳ２の排泄物空間ＥＸ１、ＥＸ２に接する面が排泄物空間内ＥＸ１、ＥＸ２に溜まった汚物の水分が肌側へ漏れ出すことはない防水性シートＷＰとした前記請求項１記載の介護用オムツを提供するものである。
【００１５】  この発明においては、内側防水シートの内面が肌への密着性を有するため陰部及び肛門への排泄穴に対応する位置を常時確保ができると共に、排泄物を内側防水シートの内面と肌との間に漏れ出ることがない。また、外面が防水性シートであるため前記排泄物空間内に溜まった汚物や水分が肌側へ漏れ出ることがない。したがって、内側防水シートから汚物が一切漏れ出ないため防臭効果が極めて高くなり介護者は悪臭に悩まされることなく、要介護者は我が悪臭に恥じらうことがない。
【００１６】請求項３の発明は、前記男性用の内側防水シートＩＳ１は排泄穴ＨＧ１に陰茎袋Ｐ及び陰嚢袋Ｓを設けた前記請求項１記載又は２いずれかに記載の介護用オムツを提供するものである。
【００１７】  この発明においては、男性の陰茎・陰嚢を覆う袋を設けたので、排泄物が陰茎・陰嚢に一切付着することなく陰部・陰嚢の洗浄作業は殆んど必要がなくなると共に、内側防水シートからは汚物が一切漏れ出ない構造のため、防臭効果が極めて高くなり介護者は悪臭に悩まされることなく、要介護者は我が悪臭に恥じることがない。
【００１８】請求項４の発明は、前記女性用の内側防水シートＩＳ２の排泄穴ＨＧ２は陰部Ｇ２と肛門ａｎ２との間に排泄穴ＨＧ２の横拡がりを防止する弾性牽引糸Ｙを設けた請求項１乃至３いずれかに記載の介護用オムツを提供するものである。
【００１９】  この発明においては、女性用の内側防水シートは陰部と肛門が同じ排泄穴であるため、穴が縦長となり横に広がり易く、該内側防水シートと肌との密着性が悪くなり排泄物が漏れ出やすい。したがって、この横拡がりによる密着不良を防止するため弾性牽引糸を設けたことによりこれらの問題を解消することができる。
【００２０】請求項５の発明は、前記外側防水シートＯＳ１、ＯＳ２又は内側防水シートＩＳ１、ＩＳ２の何れかに腰椎Ｌ１、Ｌ２に対応し、陰部Ｇ１，Ｇ２及び肛門ａｎ１，ａｎ２の位置を臍下近傍Ｎ１、Ｎ２から尾骨近傍ＮＢ１、ＮＢ２までの排泄物空間ＥＸ１、ＥＸ２を中央に確保するする枕Ｐｉ１、Ｐｉ２を設けるようにした前記請求項１乃至４いずれかに記載の介護用オムツを提供するものである。
【００２１】この発明においては、腰椎に対応する枕を設けることにより常時猫背を解消でき、枕を腰の肌面に厚みを有して面接触し、内側防水シートＩＳ１、ＩＳ２の排泄穴Ｈａｎ１、ＨＧ２、Ｈａｎ１が陰部Ｇ１，Ｇ２及び肛門ａｎ１，ａｎ２の位置からずれないように確保できると共に、排泄物空間内の排泄物が臍下側若しくは尾骨側いずれかに片寄ることによるシートの破れ及び外側防水シートと内側防水シートとの張り合わせ部分の剥がれを防止することができる。同時に介護者の猫背姿勢を正しくして腰椎を確保することができる。
【００２２】請求項６の発明は、男女肛門ａｎ１、ａｎ２の排泄穴Ｈａｎ１、ＨＧ２に対応する内側防水シートＩＳ１，ＩＳ２の側端Ａが数ミリ厚い端部ＣＨに形成し外側に向かって徐々に薄くＴＨ形成するようにした前記請求項１乃至５いずれかに記載の介護用オムツを提供するものである。
【００２３】この発明においては、内側防水シートＩＳ１，ＩＳ２は排泄穴ａｎ１、ＨＧ２側端が数ミリ厚い端部ＣＨに形成し外側に向かって徐々に薄くＴＨ形成することにより、この厚い端部ＣＨにより肌への密着性をより高めて内側防水シートＩＳ１，ＩＳ２と肌との間へ排泄物Ｆ１，Ｆ２が漏れるのを極力防止するようにしている。
【００２４】請求項７の発明は、前記内側防水シートＩＳ１，ＩＳ２の男女肛門ａｎ１、ａｎ２の排泄穴Ｈａｎ１、ＨＧ２に対応する肌に接触する端面Ａに吸収性シートＡＢ１を設けるようにした前記請求項１乃至５いずれかに記載の介護用オムツを提供するものである。
【００２５】この発明においては、内側防水シートＩＳ１、ＩＳ２の男女肛門ａｎ１、ａｎ２に対応する排泄穴Ｈａｎ１、ＨＧ２の端面Ａの肌に接触する外側に吸収性シートＡＢ１を設けることによりその部分での汗及び少量の漏れ出た排泄物を吸収させることができる。
【００２６】請求項８の発明は、前記内側防水シートＩＳ１，ＩＳ２の男女肛門ａｎ１、ａｎ２の排泄穴Ｈａｎ１、ＨＧ２に対応する肌に接触する端面Ａと、それに対応する排泄物空間ＥＸ１、ＥＸ２に接触する端面Ａとに吸収性シートＡＢ１、ＡＢ２を設けるようにした前記請求項１乃至５いずれかに記載の介護用オムツを提供するものである。
【００２７】この発明においては、内側防水シートＩＳ１、ＩＳ２を中心にして、両サイドの端面Ａに吸収性シートＡＢ１、ＡＢ２を設けることにより、吸収性シートＡＢ１により前記と同様汗及び少量の漏れ出た排泄物を吸収する一方、ＡＢ２により排泄物を収納する空間側においてそれらを吸収するための吸水性シートとすることができ、両サイドにおいて排泄物を吸収して内側防水シートＩＳ１、ＩＳと肌との間への漏れを防止することができる。
【発明を実施するための形態】
【００２８】  以下に本発明の一実施形態を図面に基づき説明する。図１は本発明の男性用介護オムツ平面図、図２は本発明の女性用介護オムツの平面図、図３は図１の男性用介護オムツを男性に装着した場合の断面視図、図４は図２の女性用介護オムツを女性に装着した場合の断面視図、図５は図１のＩ−Ｉ線断面視図、図６は図２のＩＩ−ＩＩ線断面視図、図７は図５及び図６のＩＩＩ−ＩＩＩ線断面視図、図８は図５の男性用介護オムツを尾骨近傍で折り畳んだ状態を示す説明図、図９は図６の女性用介護オムツを尾骨近傍で折り畳んだ状態を示す説明図、図１０は図８の男性用介護オムツを更に臍下近傍で折り畳んだ状態を示す説明図、図１１は図９の女性用介護オムツを更に臍下近傍で折り畳んだ状態を示す説明図、図１２は男女の排泄穴に対応する内側防水シート端断面図、図１３は他の実施例を示す内側防水シート端断面図、図１４は図１２及び図１３の他の実施例を示す内側防水シート端断面図である。
【００２９】  図１乃至図６、図８乃至図１１に示す如く、臀部Ｂ１、Ｂ２を覆うように腰Ｈ１，Ｈ２に巻き付けて固定する外側防水シートＯＳ１、ＯＳ２と、陰部Ｇ１，Ｇ２及び肛門ａｎ１，ａｎ２に対応する排泄穴ＨＧ１、ＨＧ２、Ｈａｎ１、Ｈａｎ２を設けた内側防水シートＩＳ１、ＩＳ２とからなり、前記外側防水シートＯＳ１、ＯＳ２と内側防水シートＩＳ１、ＩＳ２との間に、少なくとも臍下近傍Ｎ１、Ｎ２から尾骨近傍ＮＢ１、ＮＢ２までに排泄物空間ＥＸ１、ＥＸ２を形成するように外側防水シートＯＳ１、ＯＳ２内面に内側防水シートＩＳ１、ＩＳ２を貼り付け、前記臍下近傍Ｎ１、Ｎ２と尾骨近傍ＮＢ１、ＮＢ２とで折り畳み可能にした介護用オムツＤ１、Ｄ２である。Ｍ１，Ｍ２は介護用オムツＤ１、Ｄ２を腰部Ｈ１，Ｈ２に巻き付けて固定するマジックテープである。
【００３０】  したがって、排泄物空間ＥＸ１、ＥＸ２に一定の排泄物Ｆ１、Ｆ２を貯め、前記臍下近傍Ｎ１、Ｎ２と尾骨近傍ＮＢ１、ＮＢ２とで排泄穴ＨＧ１、ＨＧ２、Ｈａｎ１、Ｈａｎ２を覆うように実線Ｌ１−１、Ｌ１−２、Ｌ２−１、Ｌ２−２で折り畳むことができるので、大量の排泄物Ｆ１、Ｆ２により陰部Ｇ１，Ｇ２及び肛門ａｎ１，ａｎ２周辺を汚すことがなく多量の消臭剤の使用や陰部の洗浄作業が著しく軽減される。また、図１０、図１１に示す如く、三つ折りに畳んで簡単に廃棄処理することができる。
【００３１】  図７は、図５及び図６に示す内側防水シートＩＳ１、ＩＳ２のＩ−Ｉ線断面図であり、該シートＩＳ１、ＩＳ２は肌に接触する側の内側面はそれぞれ密着性を有するシートＣＰが使用され、該内側防水シートＩＳ１、ＩＳ２の前記排泄物空間ＥＸ１、ＥＸ２に接する外側面は防水性を有するシートＷＰを使用している。
【００３２】  したがって、内側防水シートＩＳ１、ＩＳ２の内面が肌へ密着して陰部Ｇ１，Ｇ２及び肛門ａｎ１，ａｎ２への排泄穴ＨＧ１、ＨＧ２、Ｈａｎ１、Ｈａｎ２に対応する位置を常時確保することにより、排泄物が内側防水シートＩＳ１、ＩＳ２の内面と肌との間に漏れ出ることはない。また、内側防水シートＩＳ１、ＩＳ２の外面が防水性シートであるため前記排泄物空間内ＥＸ１、ＥＸ２に溜まった汚物の水分が肌側へ漏れ出すことはない。
【００３３】  図５に示す如く、前記男性用介護用オムツＤ１は内側防水シートＩＳ１の排泄穴ＨＧ１に陰茎袋Ｐと陰嚢袋Ｓを設けている。したがって、排泄物が陰茎・陰嚢に一切付着することなく陰部・陰嚢の洗浄作業は殆んど必要なくなり、内側防水シートＩＳ１から汚物が一切漏れ出ない。
【００３４】  図６に示す如く、前記女性用介護用オムツＤ２は内側防水シートＩＳ２の排泄穴ＨＧ２は陰部Ｇに対応する排泄穴ＨＧ２の横拡がりを防止する弾性牽引糸Ｙを設けている。したがって、女性用内側防水シートＩＳ２は陰部と肛門が同じ排泄穴ＨＧ２であるため、穴が縦長となり横に広がり易く、当該シートと肌との密着性が悪くなり排泄物が漏れ出やすいため、この横拡がりによる密着不良を防止するようにしている。
【００３５】  図１乃至図４に示す如く、前記内側防水シートＩＳ１、ＩＳ２（又は外側防水シートＯＳ１、ＯＳ２）に腰椎部Ｌ１、Ｌ２に対応する枕Ｐｉ１、Ｐｉ２を設けるようにしている。したがって、常時猫背を解消でき、陰部及び肛門の位置を臍下近傍Ｎ１、Ｎ２から尾骨近傍ＮＢ１、ＮＢ２までの排泄物空間ＥＸ１、ＥＸ２を中央に確保することができ、排泄物空間ＥＸ１、ＥＸ２内の排泄物が臍下側若しくは尾骨側いずれかに片寄ることによるシートの破れ及び外側防水シートＯＳ１、ＯＳ２と内側防水シートＩＳ１、ＩＳ２周囲の張り合わせ部分の剥がれを防止することができる。
【００３６】  図１２は図５，６に示す男女肛門ａｎ１、ａｎ２の排泄穴Ｈａｎ１、ＨＧ２に対応する内側防水シートＩＳ１，ＩＳ２の端部Ａ、Ａの断面図であり、内側防水シートＩＳ１，ＩＳ２は排泄穴ａｎ１、ＨＧ２側端が数ミリ厚い端部ＣＨに形成し外側に向かって徐々に薄くＴＨ形成するようにしている。そして、この厚い端部ＣＨにより肌への密着性を高めて排泄物Ｆ１，Ｆ２の漏れを極力防止するようにしている。
【００３７】  図１３は前図の他の実施例を示すシート端断面図であり、内側防水シートＩＳ１、ＩＳ２の外側に吸収性シートＡＢ１を設けて汗及び少量の漏れ出た排泄物を吸収させることもできる。
【００３８】  図１４は図１２及び図１３の他の実施例を示すシート端断面図であり、内側防水シートＩＳ１、ＩＳ２を中心にして、両サイドに吸収性シートＡＢ１、ＡＢ２を設けている。吸収性シートＡＢ１により図１３と同様汗及び少量の漏れ出た排泄物を吸収する一方、ＡＢ２により排泄物を収納する空間部分のシートはそれらを吸収するための吸水性シートとすることができる。
【発明の効果】
【００３９】  この発明においては、排泄物空間に一定の排泄物を貯め、前記臍下近傍と尾骨近傍とで排泄穴を覆うように折り畳むことにより、大量の排泄物で陰部周囲を汚すことがないため、多量の消臭剤の使用や陰部の洗浄作業が著しく軽減すると同時に、三つ折りに畳んで容易に廃棄処理することができる。また、排泄穴を覆うように折り畳めるので防臭効果が高くなり介護者は悪臭に悩まされることなく要介護者は我が悪臭に恥じることがない。
【００４０】  また、この発明においては、内側防水シートの内面が肌へ密着性を有するため陰部及び肛門への排泄穴に対応する位置を常時確保すると共に、排泄物は内側防水シートの内面と肌との間に漏れ出ることはない。また、外面が防水性シートであるため前記排泄物空間内に溜まった汚物及び水分が肌側へ漏れ出ることはない。したがって、内側防水シートから汚物は一切漏れ出ないため、防臭効果が極めて高くなり介護者は悪臭に悩まされることなく要介護者は我が悪臭に恥らうことがない。
【００４１】  また、この発明においては、男性の陰茎・陰嚢を覆う袋を設けたので、排泄物がそれらに一切付着することなくそれらの洗浄作業は殆んど必要なくなると共に、内側防水シートから汚物が一切漏れ出ないため、防臭効果が極めて高くなり介護者は悪臭に悩まされることなく要介護者は我が悪臭に恥じることがない。
【００４２】  また、この発明においては、女性用内側防水シートは陰部と肛門が同じ排泄穴であるため、穴が縦長となり横に広がり易く、当該シートと肌との密着性が悪くなり排泄物が漏れ出やすい。したがって、この横広がりによる密着不良を防止するため牽引糸を設けたことによりこれら問題を解消することができる。
【００４３】  また、この発明においては、腰椎に対応する枕を設けることにより常時猫背を解消でき、陰部及び肛門の位置を臍下近傍から尾骨近傍まで排泄物空間中央を確保することができる。したがって、排泄物空間内の排泄物が臍下側若しくは尾骨側いずれかに片寄ることによるシートの破れ及び外側防水シートと内側防水シーとの張り合わせ部分の剥がれを防止することができる。同時に介護者の姿勢を良くして腰椎を確保することができる。
【００４４】  また、内側防水シートは排泄穴側端が数ミリ厚い端部に形成し外側に向かって徐々に薄く形成するようにして、この厚い端部により肌への密着性を高めて排泄物の漏れを極力防止することができる。
【００４５】  また、内側防水の外側に吸収性シートを設けて汗及び少量の漏れ出た排泄物を吸収する構造としている。
【００４６】  さらに、内側防水シートを中心にして、両サイドを吸収性シートとすることにより、吸収性シートＡＢ１により図１３と同様に、汗及び少量の漏れ出た排泄物を吸収する一方、ＡＢ２により、排泄物を収納する空間部分のシートはそれらを吸収するための吸水性シートとしている。
【図面の簡単な説明】
【００４７】
【図１】  男性用介護オムツ
【図２】  女性用介護オムツ
【図３】  男性用介護オムツを男性に装着した場合の断面視図
【図４】  女性用介護オムツを女性に装着した場合の断面視図
【図５】  図１のＩ−Ｉ線断面視図
【図６】  図２のＩＩ−ＩＩ線断面視図
【図７】  図５及び図６のＩＩＩ−ＩＩＩ線断面視図
【図８】  図５の介護オムツを尾骨近傍で折畳んだ状態を示す説明図
【図９】  図６の介護オムツを尾骨近傍で折畳んだ状態を示す説明図
【図１０】  図５の介護オムツをさらに臍下近傍で折畳んだ状態を示す説明図
【図１１】  図６の介護オムツをさらに臍下骨近傍で折畳んだ状態を示す説明図
【図１２】  図５及び６のＡ、Ａに示す男女排泄穴に対応する内側防水シート端断面図
【図１３】  他の実施例を示す内側防水シート端断面図
【図１４】  他の実施例を示す内側防水シート端断面図
【符号の説明】Ｂ１、Ｂ２                              臀部
Ｈ１，Ｈ２                              腰部
ＯＳ１、ＯＳ２                          外側防水シート
Ｇ１，Ｇ２                              陰部
ａｎ１，ａｎ２                          肛門
ＨＧ１、ＨＧ２、Ｈａｎ１、Ｈａｎ２      排泄穴
ＩＳ１、ＩＳ２                          内側防水シート
Ｙ                                      弾性牽引糸
Ｎ１、Ｎ２                              臍下近傍
ＮＢ１、ＮＢ２                          尾骨近傍
ＥＸ１、ＥＸ２                          排泄物空間
Ｄ１、Ｄ２                              介護用オムツ
Ｍ１，Ｍ２                              マジックテープ
Ｆ１、Ｆ２                              排泄物
ＣＰ                                    密着性を有するシート
ＷＰ                                    防水性を有するシート
Ｌ１、Ｌ２                              腰椎部
Ｐｉ１、Ｐｉ２                          枕
Ｌ１−１  Ｌ１−２  Ｌ２−１  Ｌ２−２  折り畳み部実践
ＡＢ１、                                吸収性シート
Ａ                                      端部
Ｐ                                      陰茎袋
Ｓ                                      陰嚢袋